(57)【要約】【課題】無線通信端末を予め登録された特定の複数の端末使用者しか使用することができない高度なセキュリティ機能を有する無線通信端末および端末使用者識別方法を提供する。【解決手段】ＰＴＴスイッチ１２を備えた無線通信端末１において、ＰＴＴスイッチに設けた指紋読取部１３と、複数の端末使用者の指紋データとその指紋データを登録した端末使用者毎に設定された少なくとも使用ＩＤ番号を含むＩＤ番号情報を登録できる記憶部１４と、指紋読取部１３で読み取った指紋データと記憶部１４の登録指紋データとを照合する指紋認証部１５と、指紋認証部１５の照合結果に基づき無線通信端末１を動作させる手段と、指紋認証部１５の照合結果に基づき記憶部１４から１つのＩＤ番号情報を取得する手段と、を備える。【選択図】図１
2009164680.tif 000002
【特許請求の範囲】
【請求項１】
ＰＴＴスイッチを備えた無線通信端末において、
前記ＰＴＴスイッチに設けた指紋読取部と、
複数の端末使用者の指紋データとその指紋データを登録した端末使用者毎に設定された少なくとも使用ＩＤ番号を含むＩＤ番号情報を登録できる記憶部と、
前記指紋読取部で読み取った指紋データと前記記憶部の登録指紋データとを照合する指紋認証部と、
前記指紋認証部の照合結果に基づき前記無線通信端末を動作させる手段と、
前記指紋認証部の照合結果に基づき前記記憶部から１つのＩＤ番号情報を取得する手段と、
を備えたことを特徴とする無線通信端末。
【請求項２】
前記取得したＩＤ番号情報に基づき前記無線通信端末の機能を設定するように構成したことを特徴とする請求項１記載の無線通信端末。
【請求項３】
前記指紋読取部は、前記ＰＴＴスイッチを押圧操作しながら電源スイッチをオン操作した時に、指紋データの読み取りを開始するように構成したことを特徴とする請求項１記載の無線通信端末。
【請求項４】
前記ＰＴＴスイッチは、指を載置可能なセンサー面を有する指センサーからなる前記指紋読取部を設け、前記センサー面への押圧操作によりＰＴＴスイッチが動作し、かつ電源スイッチがオン操作された時に、前記指紋センサーによる指紋データの読み取りが開始するように構成したことを特徴とする請求項１から請求項３のいずれか１項記載の無線通信端末。
【請求項５】
前記指紋認証部は、前記ＰＴＴスイッチを押圧操作しながら前記電源スイッチをオン操作した時には、前記指紋読取部で読み取った指紋データと前記記憶部の登録指紋データとを照合し、また、音声送信する際の前記ＰＴＴスイッチの押圧操作時には、前記ＰＴＴスイッチを押圧操作しながら前記電源スイッチをオン操作した時に取得した指紋データを前記記憶部から呼び出して前記指紋読取部で読み取った指紋データと照合するように構成したことを特徴とする請求項１記載の無線通信端末。
【請求項６】
前記指紋認証部の照合結果に基づき前記無線通信端末を動作させ、かつトーン信号に含める前記ＩＤ番号情報を前記記憶部から取得した後、待ち受け状態へ移行するように構成したことを特徴とする請求項１記載の無線通信端末。
【請求項７】
無線通信端末のＰＴＴスイッチに設けた指紋読取部と、
複数の端末使用者の指紋データとその指紋データを登録した端末使用者毎に設定された使用ＩＤ番号および使用送受信周波数を含むＩＤ番号情報を登録できる記憶部と、
前記指紋読取部で読み取った指紋データと前記記憶部の登録指紋データとを照合する指紋認証部と、
前記指紋認証部の照合結果に基づき前記無線通信端末を動作させる手段と、
前記指紋認証部の照合結果に基づき前記記憶部からＩＤ番号情報を取得する手段と、
を備えた無線通信端末の端末使用者識別方法であって、
前記ＰＴＴスイッチを押圧操作しながら電源スイッチをオン操作するステップと、
前記ＰＴＴスイッチを押圧操作しながら電源スイッチをオン操作した時に、前記指紋読取部で指紋データの読み取りを開始するステップと、
前記指紋読取部で読み取った指紋データと前記記憶部の登録指紋データとを前記指紋認証部で照合するステップと、
前記指紋認証部の照合結果に基づき前記無線通信端末を動作させ、かつトーン信号に含めるＩＤ番号情報を前記記憶部から取得した後、待ち受け状態へ移行するステップと、
を有するとともに、さらに、
前記ＰＴＴスイッチを押圧操作して送信モードに設定する都度に、前記指紋読取部で指紋データの読み取りを開始するステップと、
前記ＰＴＴスイッチを押圧操作しながら電源スイッチをオン操作した時に取得した指紋データを前記記憶部から呼び出すステップと、
前記指紋読取部で読み取った指紋データと前記記憶部から呼び出した前記ＰＴＴスイッチを押圧操作しながら電源スイッチをオン操作した時に取得した指紋データとを前記指紋認証部で照合するステップと、
前記指紋認証部の照合結果に基づき前記記憶部からＩＤ番号情報を取得してトーン信号に含めるステップと、
前記ＩＤ番号情報を含めたトーン信号を搬送波へ付加するステップと、
を有することを特徴とする無線通信端末の端末使用者識別方法。
【発明の詳細な説明】
【技術分野】
【０００１】
本発明は、トランクドシステム等の無線通信システムに用いられる端末機器（以下、無線通信端末という）に関し、端末使用者の個人識別を行なうことにより、不正使用等を防止することができる無線通信端末および端末使用者識別方法に関する。
【背景技術】
【０００２】
従来、無線通信端末をその端末使用者以外の人が無断で使用できないようにする方法としては、暗号番号あるいはパスワードを設定し、一致する暗号番号あるいはパスワードが入力されない限り使用できないようにする方法が知られている。しかし、この方法では、暗号番号あるいはパスワードが第三者に知られてしまう危険性があり、また、端末使用者自身が暗号番号あるいはパスワードを忘れた場合などは、無線通信端末を使用することが出来なくなるという欠点がある。
【０００３】
このような問題点を解消し、無線通信端末の不正使用等を防止する方法としては、例えば、無線通信機に指紋を検出する検出装置を備え、マイコンの制御により検出した指紋をデータに変換し、メモリ内に格納された所定の使用者の指紋データと照合し、一致したときのみ送受信動作を可能な状態に制御する技術手段が開示されている。（例えば、特許文献１参照）。
【０００４】
また、上記の特許文献１に示すような従来の指紋認証方法においては、機器の電源スイッチを入れてから、指紋認証部へ指を当てて指紋認証を行い、認証に合格すれば機器が動作するように構成されていた。あるいは、機器の電源スイッチは常にオン状態になっており、指紋認証に合格すれば動作スイッチが有効になり、機器が動作するように構成されていた。
【０００５】
【特許文献１】特開２００１−４４８８１号公報
【発明の開示】
【発明が解決しようとする課題】
【０００６】
上記の特許文献１には、無線通信機に指紋を検出する装置を備え、メモリ内に格納された所定の使用者の指紋データと一致したときのみ送受信動作を可能な状態に制御する方法について開示されているものの、その開示されている技術手段が抽象的であり、実現可能で、より具体的な技術手段は全く開示されていない。
【０００７】
また、上記の特許文献１の指紋認証方法は、端末使用者が電源をオン状態にしたり、あるいは、通信を開始した後に無線通信端末を紛失したりすると、電源を切ったり通信を終了するまでは、第三者であっても使用することが可能となり、無断使用を受け易くセキュリティに問題があった。
【０００８】
本発明は、各個人に固有の情報である指紋を個人認証に利用してセキュリティ機能を高めるとともに、無線通信端末を換えても指紋認証により、自動的に端末使用者個別の設定に換わることができ、また、端末使用者の指紋照合を無線通信端末の電源投入時および音声送信操作の都度に実行することによって、無線通信端末を予め登録された特定の端末使用者しか使用することができない高度なセキュリティ機能を有する無線通信端末および端末使用者識別方法を提供することを目的としている。
【課題を解決するための手段】
【０００９】
上記の目的を達成するために、本発明の無線通信端末は、ＰＴＴスイッチを備えた無線通信端末において、前記ＰＴＴスイッチに設けた指紋読取部と、複数の端末使用者の指紋データとその指紋データを登録した端末使用者毎に設定された少なくとも使用ＩＤ番号を含むＩＤ番号情報を登録できる記憶部と、前記指紋読取部で読み取った指紋データと前記記憶部の登録指紋データとを照合する指紋認証部と、前記指紋認証部の照合結果に基づき前記無線通信端末を動作させる手段と、前記指紋認証部の照合結果に基づき前記記憶部から１つのＩＤ番号情報を取得する手段とを備えたことを特徴としている。
【００１０】
さらに、本発明は、上記の無線通信端末において、以下の態様の発明をも提供するものである。
【００１１】
すなわち、前記取得したＩＤ番号情報に基づき前記無線通信端末の機能を設定するように構成したことを特徴としている。
【００１２】
また、前記指紋読取部は、前記ＰＴＴスイッチを押圧操作しながら電源スイッチをオン操作した時に、指紋データの読み取りを開始するように構成したことを特徴としている。
【００１３】
また、前記ＰＴＴスイッチは、指を載置可能なセンサー面を有する指センサーからなる前記指紋読取部を設け、前記センサー面への押圧操作によりＰＴＴスイッチが動作し、かつ電源スイッチがオン操作された時に、前記指紋センサーによる指紋データの読み取りが開始するように構成したことを特徴としている。
【００１４】
また、前記指紋認証部は、前記ＰＴＴスイッチを押圧操作しながら前記電源スイッチをオン操作した時には、前記指紋読取部で読み取った指紋データと前記記憶部の登録指紋データとを照合し、また、音声送信する際の前記ＰＴＴスイッチの押圧操作時には、前記ＰＴＴスイッチを押圧操作しながら前記電源スイッチをオン操作した時に取得した指紋データを前記記憶部から呼び出して前記指紋読取部で読み取った指紋データと照合するように構成したことを特徴としている。
【００１５】
また、前記指紋認証部の照合結果に基づき前記無線通信端末を動作させ、かつトーン信号に含める前記ＩＤ番号情報を前記記憶部から取得した後、待ち受け状態へ移行するように構成したことを特徴としている。
【００１６】
さらに、本発明の無線通信端末の端末使用者識別方法は、無線通信端末のＰＴＴスイッチに設けた指紋読取部と、複数の端末使用者の指紋データとその指紋データを登録した端末使用者毎に設定された使用ＩＤ番号および使用送受信周波数を含むＩＤ番号情報を登録できる記憶部と、前記指紋読取部で読み取った指紋データと前記記憶部の登録指紋データとを照合する指紋認証部と、前記指紋認証部の照合結果に基づき前記無線通信端末を動作させる手段と、前記指紋認証部の照合結果に基づき前記記憶部からＩＤ番号情報を取得する手段とを備えた無線通信端末の端末使用者識別方法であって、
前記ＰＴＴスイッチを押圧操作しながら電源スイッチをオン操作するステップと、前記ＰＴＴスイッチを押圧操作しながら電源スイッチをオン操作した時に、前記指紋読取部で指紋データの読み取りを開始するステップと、前記指紋読取部で読み取った指紋データと前記記憶部の登録指紋データとを前記指紋認証部で照合するステップと、前記指紋認証部の照合結果に基づき前記無線通信端末を動作させ、かつトーン信号に含めるＩＤ番号情報を前記記憶部から取得した後、待ち受け状態へ移行するステップとを有するとともに、
さらに、
前記ＰＴＴスイッチを押圧操作して送信モードに設定する都度に、前記指紋読取部で指紋データの読み取りを開始するステップと、前記ＰＴＴスイッチを押圧操作しながら電源スイッチをオン操作した時に取得した指紋データを前記記憶部から呼び出すステップと、前記指紋読取部で読み取った指紋データと前記記憶部から呼び出した前記ＰＴＴスイッチを押圧操作しながら電源スイッチをオン操作した時に取得した指紋データとを前記指紋認証部で照合するステップと、前記指紋認証部の照合結果に基づき前記記憶部からＩＤ番号情報を取得してトーン信号に含めるステップと、前記ＩＤ番号情報を含めたトーン信号を搬送波へ付加するステップとを有することを特徴としている。
【発明の効果】
【００１７】
本発明の無線通信端末および端末使用者識別方法は、ＰＴＴスイッチに設けた指紋読取部と、複数の端末使用者の指紋データとその指紋データを登録した端末使用者毎に設定された少なくとも使用ＩＤ番号を含むＩＤ番号情報を登録できる記憶部と、前記指紋読取部で読み取った指紋データと記憶部の登録指紋データとを照合する指紋認証部と、指紋認証部の照合結果に基づき無線通信端末を動作させる手段と、指紋認証部の照合結果に基づき記憶部から１つのＩＤ番号情報を取得する手段とを備えたことにより、無線通信端末に予め指紋登録されている特定の複数の端末使用者しか使用することができない高度なセキュリティ機能を有する。
【発明を実施するための最良の形態】
【００１８】
以下、本発明の実施の形態を図１〜図６に基づいて説明する。
図１は本発明の一実施の形態に係る無線通信端末の概略構成を示すブロック図である。図２は、図１に示す無線通信端末において、電源を入れる動作を示すフローチャートである。図３は、図１に示す無線通信端末において、音声送信処理のフローチャートである。図４は、図１に示す無線通信端末の記憶部に保存されているデータベースの一例を示す説明図である。図５および図６は、一般的なトランクドシステムの概略構成を示す説明図である。
【００１９】
この実施の形態では、本発明に係る無線通信端末および端末使用者識別方法をトランクドシステムに用いた場合を例に挙げて説明する。
【００２０】
トランクドシステムは、今日、広く用いられ、よく知られているので詳細をここでは述べないが、一般的なトランクドシステムについて図５に示すとともに、図６にトランクドシステムの具体的な使用例を示している。
【００２１】
一般的なトランクドシステムは、図５に示すように、無線通信端末（トランシーバ）１と、各チャンネルに対応するレピーターシステム２および電話回線３、そして、システム管理用コンピュータ４で構成されている。このトランクドシステムの特長としては、電波の有効利用を図るために、レピーターシステム２内の通話チャンネルを無線通信端末１へ自動的に分配することができるとともに、各無線通信端末１のＩＤ情報を含んだ連続したトーン信号を送信電波へ付加することで、複数の無線通信端末１の中から任意の無線通信端末１と通信ができることにある。
【００２２】
このような特長を有するトランクドシステムの具体的な使用例を図６に示している。この図６に示すトランクドシステムは、コントロールステーション５と、レピーターシステム２と、無線通信端末（図示しない）を備え、例えば、グループ１〜３に分けられた複数台の移動体（モービル）６とで構成されている。そして、コントロールステーション５からは、無線通信端末を備えた全ての移動体６への一斉呼び出しと、各グループの移動体６への呼び出しと、個別の移動体６への呼び出しがそれぞれ可能であり、また、移動体相互間の通信も可能に構成されている。
【００２３】
図１は、上述したトランクドシステムに用いるように構成した本発明の無線通信端末１を示している。
【００２４】
図１において、１１は無線通信端末１の電源スイッチである。１２は無線通信端末１のサイド（側面）に操作し易いように装着されているＰＴＴ（Ｐｕｓｈ  ｔｏＴａｌｋ）スイッチである。このＰＴＴスイッチ１２は、押圧操作し続けている期間だけ無線通信端末１は送信モードに設定され、また、押圧操作が解除されると無線通信端末１は受信モードに設定される。このように、無線通信端末１は、ＰＴＴスイッチ１２の押圧操作、あるいは押圧解除操作によって、送受信モードを任意に設定して交信を行なうことができるように構成されている。
【００２５】
１３はＰＴＴスイッチ１２に一体化して設けた指紋読取部で、端末使用者の指紋を読み取る手段である。この指紋読取部１３は、指を載置可能なセンサー面を有する指センサー（図示しない）からなり、ＰＴＴスイッチ１２に端末使用者の指がかかる位置に設けられている。
【００２６】
１４は記憶部で、複数の端末使用者の指紋を登録できる指紋登録部１４１を備えている。１５は指紋認証部で、指紋読取部１３で読み取った読取指紋データと記憶部１４に予め登録されている複数の端末使用者の登録指紋データとを照合する手段である。１６は制御部で、指紋認証部１５の照合結果に基づいて無線通信端末１を動作させる手段である。
【００２７】
１７は入力部、１８は送話用マイクからなる音声入力部、１９は音声出力部、２０は無線通信部、２１は無線通信端末１にも設けた表示器で、各種の必要事項を表示する。２２は送受信アンテナである。
【００２８】
このように構成された本発明の無線通信端末１の動作を図２に示す電源を入れる動作を示すフローチャートと、図３に示す音声送信処理のフローチャートおよび図４に示す指紋登録部１４１に記憶されている指紋データベースの一例に基づいて説明する。
【００２９】
この図２のフローチャートは、予め無線通信端末１の端末使用者として指紋データが指紋登録部１４１に登録されていることを条件に無線通信端末１の電源を入れることができる各ステップを示している。したがって、指紋登録部１４１には、端末使用者全員の指紋データおよび送受信周波数や使用ＩＤ番号等の端末使用者個人ごとに設定されたＩＤ番号情報が指紋データベースとして予め記憶されている。
【００３０】
また、図４に示す指紋データベースでは、特定の端末使用者の指紋情報と、名前と、グループナンバＩＤと、ＩＤと、送信周波数と、受信周波数とが対応付けられて記憶されている。
【００３１】
まず、ＰＴＴスイッチ１２を押圧操作しながら電源スイッチ１１をオン操作（電源投入）する（ステップＳ１）。このステップＳ１におけるＰＴＴスイッチ１２を押圧操作しながら電源スイッチ１１を入れる操作により、指紋読取部１３が指紋データを読み込む（ステップＳ２）。
【００３２】
指紋データが読み込まれると、指紋認証部１５は、指紋登録部１４１に保存され予め登録されている複数の端末使用者の指紋データベースを呼び出し（ステップＳ３）、指紋データベースの中に読み込んだ指紋データに合致する指紋があるかどうかを照合する（ステップＳ４）。
【００３３】
この指紋認証部１５の照合結果に基づき、次のステップＳ５で、登録されている端末使用者と確認された場合は、次のステップＳ６へ進み、無線通信端末１の電源オンの状態が維持されて動作可能状態へ移行するとともに、指紋登録部１４１に保存されている端末使用者個人ごとに設定された送受信周波数や使用ＩＤ番号等のＩＤ番号情報を無線通信端末１の機能の設定として読み込んで記憶部１４に保存した後、待ち受け状態へ移行する。
【００３４】
一方、登録されている端末使用者と確認されなかった場合は、無線通信端末１の電源がオフとなり処理を終了する。この結果、無線通信端末１が使用できない状態となり、無線通信端末１の不正使用を防止することができる。
【００３５】
本実施例は、上述したセキュリティ動作に加えて、さらに、例えば、電源スイッチ１１がオン状態のときに、無線通信端末１が盗難にあったとしても、不正使用されることがないように構成されている。その動作を図３の音声送信処理のフローチャートに示している。
【００３６】
図３の音声送信処理のフローチャートに基づき動作を説明する。まず、音声送信を行なうためにＰＴＴスイッチ１２の押圧操作を行なう（ステップＳ１１）と、指紋読取部１３はＰＴＴスイッチ１２を押圧操作した端末使用者の指紋を読み込む（ステップＳ１２）。
【００３７】
指紋認証部１５は、端末使用者の指紋が読み込まれると、上述したＰＴＴスイッチ１２を押圧操作しながら電源スイッチ１１をオン操作した際に取得した端末使用者の指紋データを記憶部１４から呼び出す（ステップＳ１３）。そして、次のステップＳ１４で、今ＰＴＴスイッチ１２を押圧操作している端末使用者の指紋と、ＰＴＴスイッチ１２を押しながら電源スイッチ１１をオン操作したときに取得した端末使用者の指紋とが合致するかどうかを照合する（ステップＳ１５）。
【００３８】
照合の結果、端末使用者であることが確認された場合は、次のステップＳ１６へ進む。このステップＳ１６では、記憶部１４に保存されている登録ＩＤ番号を呼び出し、さらに、次のステップＳ１７で、呼び出した登録ＩＤ番号情報を含んだトーン信号を搬送波に付加し、音声送信を実行する。なお、トランクドシステムで用いられているトーン信号は、４０ｂｉｔで構成されており、そのうち８ｂｉｔが端末使用者のＩＤ番号情報に割り当てられている。
【００３９】
一方、ステップＳ１５で、照合の結果、指紋が一致せず、今ＰＴＴスイッチ１２を押圧操作し、音声送信を行なおうとしている端末使用者が、ＰＴＴスイッチ１２を押しながら電源スイッチ１１をオン操作したときの端末使用者と異なると判定された場合は、音声送信は行なわれず、処理を終了する。この結果、今ＰＴＴスイッチ１２を押圧操作している端末使用者は、音声送信を行なうことができず、無線通信端末１の不正使用を防止することができる。
【００４０】
以上のように構成した本実施例によれば、ＰＴＴスイッチを備えた無線通信端末において、ＰＴＴスイッチに設けた指紋読取部と、複数の端末使用者の指紋データとその指紋データを登録した端末使用者毎に設定された少なくとも使用ＩＤ番号を含むＩＤ番号情報を登録できる記憶部と、前記指紋読取部で読み取った指紋データと記憶部の登録指紋データとを照合する指紋認証部と、指紋認証部の照合結果に基づき無線通信端末を動作させる手段と、指紋認証部の照合結果に基づき記憶部から１つのＩＤ番号情報を取得する手段とを備えたことにより、無線通信端末に予め指紋登録されている特定の複数の端末使用者しか使用することができない高度なセキュリティ機能を有する。
【００４１】
また、使用する無線通信端末を変えても、指紋照合結果に基づきＩＤ番号情報を取得して、自動的に端末使用者個別の設定に変更することができるため、無線通信端末を換えるたびに、ＩＤ番号情報を設定する煩わしさをなくすことができる。さらに、無線通信端末の取り違え等がなくなるとともに、グループ内に同一使用ＩＤ番号の端末使用者の存在がなくなり、いわゆる、なりすましを未然に防止することができる。
【００４２】
また、上述した実施例では、音声送信処理を行なおうとしている端末使用者が、ＰＴＴスイッチ１２を押しながら電源スイッチ１１をオン操作したときの端末使用者と異なると判定された場合に、音声送信を行なわず、処理を終了するように構成したが、電源スイッチ１１をオフ操作するようにしてもよい。この場合には、より高度なセキュリティ機能を実現することができる。
【００４３】
また、音声処理を行なおうとしている端末使用者が、ＰＴＴスイッチ１２を押しながら電源スイッチ１１をオン操作したときの端末使用者と異なると判定された場合に、記憶している他の端末使用者の指紋データと照合し、一致した場合には、照合した端末使用者の個人設定を読み込むように構成してもよい。この場合には、電源を入れた後に端末使用者が変更された場合にも音声送信処理を行なう場合に、ＩＤ番号情報が変更されるので、所謂、なりすましをより確実に防止できる。
【図面の簡単な説明】
【００４４】
【図１】本発明の一実施の形態に係る無線通信端末の概略構成を示すブロック図である。
【図２】図１に示す無線通信端末の電源を入れる動作を示すフローチャートである。
【図３】図１に示す無線通信端末の音声送信処理のフローチャートである。
【図４】図１に示す無線通信端末の指紋登録部に保存されている指紋データベースの一例を示す説明図である。
【図５】一般的なトランクドシステムの概略構成を示す説明図である。
【図６】一般的なトランクドシステムの具体的な構成を示す説明図である。
【符号の説明】
【００４５】
１      無線通信端末
１１    電源スイッチ
１２    ＰＴＴスイッチ
１３    指紋読取部
１４    記憶部
１４１  指紋登録部
１５    指紋認証部
１６    制御部
１７    入力部
１８    音声入力部
１９    音声出力部
２１    表示部
２２    送受信アンテナ
２    レピーターシステム
３    電話回線
４    システム管理用コンピュータ
５    コントロールシステム
６    移動体（モービル）
【図１】
2009164680.tif 000003
【図２】
2009164680.tif 000004
【図３】
2009164680.tif 000005
【図４】
2009164680.tif 000006
【図５】
2009164680.tif 000007
【図６】
2009164680.tif 000008